(57)【特許請求の範囲】
【請求項１】
貯蔵室の天井板に対向する形で取り付けられる結露水案内板の取付構造であって、
前記天井板に引っ掛けられる引掛部と、前記引掛部に延設される回転可能な軸部と、前記軸部と連動するストッパ部と、前記軸部と連動し前記結露水案内板を支持可能な支持部とを有するホルダを備え、
前記結露水案内板は、前記支持部により着脱可能な状態で支持される案内板取付部を有し、
前記天井板は、前記軸部が一方の向きに正回転した際に前記ストッパ部に係止して前記正回転を止め、かつ前記案内板取付部に着脱できるように前記支持部を配置する第１係止部と、前記軸部が他方の向きに逆回転した際に前記ストッパ部に係止して前記逆回転を止め、かつ前記案内板取付部を支持できるように前記支持部を配置する第２係止部とを有し、
前記天井板は、厚み方向に貫通する略扇形の第１貫通孔を囲みつつ、正逆両回転できるように前記ストッパ部を内側に収容する扇形開口縁部を有し、
前記第１係止部は、前記ストッパ部が正回転する際の一方の向き側に配される前記扇形開口縁部の一部からなり、
前記第２係止部は、前記ストッパ部が逆回転する際の他方の向き側に配される前記扇形開口縁部の他の一部からなる結露水案内板の取付構造。
【請求項２】
前記天井板は、前記第１貫通孔に接続する形で厚み方向に貫通する第２貫通孔を囲みつつ、正逆両回転できるように前記軸部を内側に収容し、前記引掛部が引っ掛けられる被引掛部と、
前記扇形開口縁部のうち、前記第１係止部と前記第２係止部との間に配される部分からなり、前記第１貫通孔側から外側に向かって凸状に切り欠かれた拡径部とを有し、
前記引掛部が前記第１貫通孔に挿入され、かつ前記ストッパ部が前記拡径部に位置合せされた状態で、前記引掛部が前記第２貫通孔側に移動することで前記ホルダが前記天井板に取り付けられる請求項１に記載の結露水案内板の取付構造。
【請求項３】
前記ホルダは、前記軸部から外側に広がるように張り出し、前記ストッパ部が形成されるフランジ部を有し、
前記フランジ部は、前記第１貫通孔を、又は前記第１貫通孔及び前記第２貫通孔を塞ぐように前記天井板に宛がわれる請求項２に記載の結露水案内板の取付構造。
【請求項４】
前記案内板取付部は、前記支持部が挿通可能な出入口と、前記支持部が前記出入口から露出した状態で前記支持部により支持される被支持部とを有し、
前記第１係止部は、前記出入口に挿通されるように前記支持部を配置し、
前記第２係止部は、前記支持部が前記出入口を挿通しつつ前記出入口より露出した状態において、前記被支持部と重なるように前記支持部を配置する請求項１〜請求項３の何れか一項に記載の結露水案内板の取付構造。
【請求項５】
前記支持部は、軸方向と交差するように前記軸部から一方向に延びた形をなし、
前記出入口は、前記結露水案内板を厚み方向に貫通しつつ面内で一方向に延びる第３貫通孔を囲む縁部からなり、前記第３貫通孔の延びる方向と前記支持部が延びる方向が一致した場合に前記支持部を挿通させ、
前記被支持部は、前記第３貫通孔を囲む縁部のうち前記第３貫通孔の延びる方向に沿った部分からなり、前記支持部が前記出入口を挿通しつつ前記出入口より露出した状態において、前記第３貫通孔の延びる方向と前記支持部の延びる方向が交差した場合に、前記支持部により支持される請求項４に記載の結露水案内板の取付構造。
【発明の詳細な説明】
【技術分野】
【０００１】
本発明は、結露水案内板の取付構造に関する。
【背景技術】
【０００２】
生鮮食品を乾燥させずに長期に亘って保存できる貯蔵庫として、恒温高湿庫が知られている（例えば、特許文献１）。この種の恒温高湿庫は、前側に開口した断熱箱体からなる本体と、その本体内に配設される前側に開口した熱良導性の箱体からなる貯蔵室と、冷気を供給する冷気供給装置を備えている。
【０００３】
本体と貯蔵室との間には貯蔵室の周りを囲むような空間が設けられており、その空間が、冷気供給装置より供給される冷気を流通させる冷気通路として利用されている。恒温高湿庫では、いわゆる間接冷却方式が採用されており、冷気通路を流通する冷気が貯蔵室の壁面を冷却することで、貯蔵室内が間接的に冷却される。
【０００４】
ところで、この種の恒温高湿庫では、貯蔵室の壁面と、貯蔵室内の空気との温度差が大きいと、貯蔵室内の空気が露点温度以下に冷やされて、その空気中の水分が貯蔵室の壁面で結露することがある。例えば、貯蔵室内の天井面に付着した水滴は、落下して貯蔵室内の収容物に当たり、収容物を汚す虞がある。そのため、特許文献１に示されるように、貯蔵室内において、天井面に対して間隔を保ちつつ天井面を覆うように結露水案内板が取り付けられている。
【０００５】
貯蔵室内において、結露水案内板は、例えば、螺子（特許文献１参照）や、樹脂製のリベット（スナップラッチ）等の取付手段を利用して天井板に対して取り外し可能な状態で取り付けられている。なお、前記リベットは、グロメット及びプランジャーからなる。
【０００６】
例えば、前記リベットを利用して結露水案内板を天井板に取り付ける際、先ず、天井板及び結露水案内板を貫通する取付孔部にグロメットが挿着される。そしてそのグロメットの内側にある貫通孔部に更にプランジャーが挿し込まれることでグロメットが拡径される。その結果、グロメットが天井板及び結露水案内板に固定されつつプランジャーと固定されることで、結露水案内板がリベットを介して天井板に取り付けられる。
【先行技術文献】
【特許文献】
【０００７】
【特許文献１】特開平４−２５１１７９号公報
【発明の概要】
【発明が解決しようとする課題】
【０００８】
螺子やリベット等の従来の取付手段を、天井板及び結露水案内板に取り付ける作業は煩わしく、問題となっていた。
【０００９】
結露水案内板を天井板に取り付ける作業は、通常、貯蔵庫が略組み上がった状態で行われる。つまり、作業者は、前側の開口部から貯蔵室内に手を差し入れ、場合によっては開口部から天井板を仰ぎ見ながら作業を行う必要がある。そのため、そもそも結露水案内板を取り付ける際の作業者の姿勢には制約があり、結露水案内板を貯蔵室の天井板に取り付け易い取付構造が望まれていた。
【００１０】
また、上述のリベットの場合、結露水案内板を天井板から取り外すと、リベット自体も天井板から外れてしまうことがあり、リベットが紛失し易い等の問題もあった。
【００１１】
本発明の目的は、貯蔵庫が備える貯蔵室の天井板に対して結露水案内板を取り付け易い結露水案内板の取付構造を提供することである。
【課題を解決するための手段】
【００１２】
本発明に係る結露水案内板の取付構造は、貯蔵室の天井板に対向する形で取り付けられる結露水案内板の取付構造であって、前記天井板に引っ掛けられる引掛部と、前記引掛部に延設される回転可能な軸部と、前記軸部と連動するストッパ部と、前記軸部と連動し前記結露水案内板を支持可能な支持部とを有するホルダを備え、前記結露水案内板は、前記支持部により着脱可能な状態で支持される案内板取付部を有し、前記天井板は、前記軸部が一方の向きに正回転した際に前記ストッパ部に係止して前記正回転を止め、かつ前記案内板取付部に着脱できるように前記支持部を配置する第１係止部と、前記軸部が他方の向きに逆回転した際に前記ストッパ部に係止して前記逆回転を止め、かつ前記案内板取付部を支持できるように前記支持部を配置する第２係止部とを有することを特徴とする。
【００１３】
前記結露水案内板の取付構造において、前記天井板は、厚み方向に貫通する略扇形の第１貫通孔を囲みつつ、正逆両回転できるように前記ストッパ部を内側に収容する扇形開口縁部を有し、前記第１係止部は、前記ストッパ部が正回転する際の一方の向き側に配される前記扇形開口縁部の一部からなり、前記第２係止部は、前記ストッパ部が逆回転する際の他方の向き側に配される前記扇形開口縁部の他の一部からなるものが好ましい。
【００１４】
前記結露水案内板の取付構造において、前記天井板は、前記第１貫通孔に接続する形で厚み方向に貫通する第２貫通孔を囲みつつ、正逆両回転できるように前記軸部を内側に収容し、前記引掛部が引っ掛けられる被引掛部と、前記扇形開口縁部のうち、前記第１係止部と前記第２係止部との間に配される部分からなり、前記第１貫通孔側から外側に向かって凸状に切り欠かれた拡径部とを有し、前記引掛部が前記第１貫通孔に挿入され、かつ前記ストッパ部が前記拡径部に位置合せされた状態で、前記引掛部が前記第２貫通孔側に移動することで前記ホルダが前記天井板に取り付けられるものが好ましい。
【００１５】
前記結露水案内板の取付構造において、前記ホルダは、前記軸部から外側に広がるように張り出し、前記ストッパ部が形成されるフランジ部を有し、前記フランジ部は、前記第１貫通孔を、又は前記第１貫通孔及び前記第２貫通孔を塞ぐように前記天井板に宛がわれるものが好ましい。
【００１６】
前記結露水案内板の取付構造において、前記案内板取付部は、前記支持部が挿通可能な出入口と、前記支持部が前記出入口から露出した状態で前記支持部により支持される被支持部とを有し、前記第１係止部は、前記出入口に挿通されるように前記支持部を配置し、前記第２係止部は、前記支持部が前記出入口を挿通しつつ前記出入口より露出した状態において、前記被支持部と重なるように前記支持部を配置するものが好ましい。
【００１７】
前記結露水案内板の取付構造において、前記支持部は、軸方向と交差するように前記軸部から一方向に延びた形をなし、前記出入口は、前記結露水案内板を厚み方向に貫通しつつ面内で一方向に延びる第３貫通孔を囲む縁部からなり、前記第３貫通孔の延びる方向と前記支持部が延びる方向が一致した場合に前記支持部を挿通させ、前記被支持部は、前記第３貫通孔を囲む縁部のうち前記第３貫通孔の延びる方向に沿った部分からなり、前記支持部が前記出入口を挿通しつつ前記出入口より露出した状態において、前記第３貫通孔の延びる方向と前記支持部の延びる方向が交差した場合に、前記支持部により支持されるものが好ましい。
【発明の効果】
【００１８】
本発明によれば、貯蔵庫が備える貯蔵室の天井板に対して結露水案内板を取り付け易い結露水案内板の取付構造を提供することができる。
【図面の簡単な説明】
【００１９】
【図１】本発明の実施形態１に係る恒温高湿庫の上部付近の側断面図
【図２】恒温高湿庫の庫内を冷却する冷気供給装置の構成を模式的に表した説明図
【図３】貯蔵室内における結露水案内板の取付構造を示す下方から見上げた斜視図
【図４】上面側から見た天井板の一部の平面図
【図５】ホルダ取付部の拡大図
【図６】上面側から見た結露水案内板の平面図
【図７】案内板取付部の拡大図
【図８】上方から見たホルダの斜視図
【図９】ホルダの側面図
【図１０】ホルダの平面図
【図１１】ホルダ取付部の出入口内に、ホルダの上端部（引掛部）が挿入され始めた状態を示す説明図
【図１２】ホルダの引掛部が被引掛部に引っ掛かりつつ、被引掛部側に押し込まれた状態を示す説明図
【図１３】ホルダの引掛部が被引掛部に引っ掛けられて、被引掛部内に軸部（上側軸部）が装着された状態を示す説明図
【図１４】ストッパ部が第１係止部側に近付くようにホルダを回転させた状態を示す説明図
【図１５】ストッパ部が第１係止部に当たって停止した状態を示す説明図
【図１６】天井板にホルダが着脱状態で取り付けられている貯蔵室内を示す下方から見上げた斜視図
【図１７】結露水案内板の出入口内に着脱状態のホルダの下部が挿入された状態で、結露水案内板が天井板を覆う状態の貯蔵室内を示す下方から見上げた斜視図
【図１８】ストッパ部が第２係止部側に近付くようにホルダを回転させた状態を示す説明図
【図１９】ストッパ部が第２係止部に当たって停止した状態を示す説明図
【発明を実施するための形態】
【００２０】
＜実施形態１＞
以下、本発明の実施形態１を図１〜図１９を参照しつつ説明する。本実施形態では、テーブル型の恒温高湿庫（貯蔵庫の一例）１における結露水案内板６の取付構造１０について説明する。
【００２１】
図１は、本発明の実施形態１に係る恒温高湿庫１の上部付近の側断面図であり、図２は、恒温高湿庫１の庫内を冷却する冷気供給装置５の構成を模式的に表した説明図である。
【００２２】
恒温高湿庫１は、正面側（前側）に開口した断熱箱体からなり、上面２Ａをテーブル面として利用可能な本体部２を備えている。本体部２は、正面側（前側）に開口した外箱２１と、外箱２１と同じように正面側（前側）に開口しつつ、外箱２１との間に所定の間隔を保ちつつ外箱２１内に収納される形で組み付けられる内箱２２と、外箱２１と内箱２２との間にある間隔を充填する発泡ウレタン等の断熱材（不図示）とを備えている。なお、本体部２は、底面の四隅に配された複数の脚（不図示）によって支持される。
【００２３】
本体部２の内部（内箱２２の内部）には、本体部２と同じように正面側（前側）に開口した箱体からなる貯蔵室４が、本体部２との間に間隔を保ちつつ本体部２内に収納される形で組み付けられている。貯蔵室４は、ステンレス等の熱良導性金属板が箱状に組み立てられたものからなり、上方に配される天井板４１と、下方に配される床板４２と、後方に配される背面板４３と、左右方向に配される２つの側面板４４，４４とを備えている。貯蔵室４の内側に形成される空間Ｒ１は、生鮮食品等の保存対象物を収容するために利用される。
【００２４】
本体部２の前側には、出入口として利用される開口部２４があり、その開口部２４を開放及び閉塞するための断熱扉Ｄが、ヒンジ部２５を介して左右方向に回動する形で取り付けられている。なお、貯蔵室４の開口部４５は、本体部２の開口部２４よりも奥側（後側）に配されつつ、本体部２の内壁（内箱２２）に密着している。
【００２５】
また、貯蔵室４と本体部２との間に形成される空間Ｒ２は、恒温高湿庫１が備える冷気供給装置５より供給される冷気を流通させるための冷気流通路Ｒ２として利用される。
【００２６】
冷気供給装置５は、恒温高湿庫１を正面から見て、貯蔵室４の左側に隣接する形で配設されている。なお、図２には、正面から見た本体部２及び貯蔵室４の模式的な断面構成が示されている。そして更に図２には、それらの左側に、冷気供給装置５の構成が模式的に示されている。冷気流通路Ｒ２は、主として、貯蔵室４を正面から見た際に、貯蔵室４の周りを取り囲むように形成されている。また、冷気流通路Ｒ２は、図１に示されるように、貯蔵室４の背面板４３と、本体部２の背面側の壁との間にも形成されている。
【００２７】
冷気供給装置５は、図２に示されるように、箱状の本体部２の左側壁の内面に配設した冷却器として機能する蒸発器５１と、本体部２外に配設されつつ、蒸発器５１に接続されて蒸発器５１と共に冷凍回路を構成する圧縮機５２と、凝縮器５３と、ドライヤ５４と、減圧手段としてのキャピラリーチューブ５５及びホットガス弁５６と、凝縮器５３を空冷する電動ファン５７と、本体部２内に組み付けられて蒸発器５１を覆うカバー５８と、カバー５８の上方に設けた開口部に配設された電動送風ファン５９とを備えている。
【００２８】
冷気供給装置５が作動すると、電動送風ファン５９によって蒸発器５１を通過した冷気は、図２中の矢印で示されるように、主として、貯蔵室４の天井板４１の外壁面に沿って流れたのち、右側の側面板４４の外壁面又は背面板４３の外壁面に沿って下降する。そして更に、冷気は、床板４２の外壁面に沿って流れることで、左側の側壁板４４の外壁面側に配される蒸発器５１へ戻される。
【００２９】
このようにして冷気供給装置５により、冷気が冷気流通路Ｒ２を循環し、その循環する冷気を利用して、貯蔵室４の壁面が冷却される。そして、貯蔵室４の内部（空間Ｒ１）は、壁面から間接的に冷却される。
【００３０】
このような間接冷却方式の恒温高湿庫１において、貯蔵室４の天井板４１を下面（天井面）４１２側から覆う形で、結露水案内板６が天井板４１に取り付けられている。結露水案内板６は、例えば、ステンレス等の金属製板材を加工したものからなり、全体的には、概ね平坦な板状をなしている。
【００３１】
結露水案内板６は、天井板４１の下面（天井面）４１２に付着した結露水が落下した際に、その水滴を、上面６１側で受けると共に、上面６１及びその反対側の下面６２に付着した水滴をそれぞれ貯蔵室４の前側から後側に伝わせて案内する機能を備えている。
【００３２】
貯蔵室４の天井板４１は、図１に示されるように、貯蔵室４の前側から後側（背面側）に向って、緩やかに下るような形で傾斜している。そして、結露水案内板６は、天井板４１との間に隙間Ｒ３を形成しながら、天井板４１と同じように、貯蔵室４の前側から後側（背面側）に向って緩やかに下るような形で傾斜している。結露水案内板６の上面６１及び下面６２に付着した水滴は、このような傾斜に従って自重により前側から後側に向って移動する。
【００３３】
なお、水滴が結露水案内板６の後端まで到達すると、その水滴は、背面板４３に移って背面板４３を伝いながら下方に移動する等して、貯蔵室４の床板４２に到達し、最終的に、貯蔵室４の床板４２に設けられた排水パイプ（不図示）を介して庫外に排出される。
【００３４】
本実施形態の場合、結露水案内板６は複数の部分に分けられている。つまり、複数の結露水案内板６を組み合わせて１つの天井板４１（天井面４１２）を覆う形となっている。
【００３５】
図３は、貯蔵室４内における結露水案内板６の取付構造１０を示す下方から見上げた斜視図である。結露水案内板６は、図１及び図３に示されるように、ホルダ７を利用して貯蔵室４の天井板４１に取り付けられている。ホルダ７は、例えば、合成樹脂（ナイロン、ポリエステル、ポリオレフィン等）の成形品からなり、天井板４１に取り付けられた状態で、結露水案内板６を取り外し可能な状態で支持する機能を備えている。
【００３６】
ホルダ７は、図１及び図３に示されるように、貯蔵室４の前側寄りの位置に設けられており、結露水案内板６の前側寄りの位置を支持する形で、天井板４１の前側寄りの位置に取り付けられている。
【００３７】
なお、結露水案内板６の後端は、貯蔵室４の背面板４３に取り付けられているブラケット（不図示）に載せられる形で支持されている。そのため、結露水案内板６は、ホルダ７による支持を解除し、後端をブラケットから降ろせば、天井板４１から適宜、取り外すことができる。また、本実施形態のホルダ７は、天井板４１に対して取り外し可能な状態で取り付けられる。ホルダ７の詳細は後述する。
【００３８】
図４は、上面４１１側から見た天井板４１の一部の平面図である。図４において、上側が天井板４１の前側に対応し、下側が天井板４１の後側に対応する。天井板４１の前側寄りの位置には、図４に示されるように、ホルダ７が所定の角度範囲（本実施形態の場合、約９０°）で回転可能であり、かつ取り外し可能な状態で取り付けられるホルダ取付部８が設けられている。ホルダ取付部８は、天井板４１に複数個所設けられている。
【００３９】
図５は、ホルダ取付部８の拡大図である。図５には、天井板４１の上面４１１側から見た状態のホルダ取付部８が示されている。なお、図５の左側が、天井板４１の前側に対応し、右側が天井板４１の後側に対応する。ホルダ取付部８は、厚み方向に貫通する略円形の貫通孔（第２貫通孔）８１を囲む円弧状の縁部からなる被引掛部８２と、被引掛部８２から天井板４１の後側に向って一方向に延びる縁部からなり、貫通孔８１と繋がる厚み方向に貫通する略扇形の貫通孔（第１貫通孔）８３の一部に沿った第１係止部（案内板着脱位置側係止部）８４と、第１係止部８４に対して略直交するように被引掛部８２から天井板４１の左側に向かって一方向に延びる縁部からなり、略扇形の貫通孔（第１貫通孔）８３の他の一部に沿った第２係止部（案内板固定位置側係止部）８５と、略扇形の貫通孔８３の略円弧状の部分に沿いつつ、第１係止部８４と第２係止部８５との間を繋ぐ略円弧状の縁部からなる円弧状縁部８６とを備えている。なお、本明細書において、略扇形の貫通孔（第１貫通孔）８３を囲む縁部を、特に扇形開口縁部８０１と称する。
【００４０】
また、円弧状縁部８６のうち、略中央の部分は、外側に凸状に切り欠かれた形をなす拡径部８７となっている。そして更に、円弧状縁部８６のうち、第１係止部８４に隣接する部分は、第１縮径部８８となっており、第２係止部８５に隣接する部分は、第２縮径部８９となっている。略円形の貫通孔８１の中心位置Ｏから拡径部８７までの長さＬ０は、中心位置Ｏから第１縮径部８８までの長さＬ１及び中心位置Ｏから第２縮径部８９までの長さＬ２よりも長くなるように設定されている。また、ホルダ取付部８は、天井板４１の上面４１１側から下面４１２側に向って凸状に盛り上がった突起部８０を備えている。なお、略円形の貫通孔８１及び略扇形の貫通孔８３を囲む縁部は、ホルダ７の出入口８００を構成している。ホルダ取付部８とホルダ７との関係は、後述する。
【００４１】
図６は、上面６１側から見た結露水案内板６の平面図である。図６において、上側が結露水案内板６の前側に対応し、下側が結露水案内板６の後側に対応する。結露水案内板６の前側寄りの位置には、図６に示されるように、ホルダ７に対する着脱、及び固定に利用される案内板取付部９が設けられている。案内板取付部９は、結露水案内板６に複数個所設けられており、各々がホルダ取付部８に対して重なるように１つずつ割り当てられている。案内板取付部９は、後述するホルダ７の支持部７４により着脱可能（取り外し可能）な状態で支持される。
【００４２】
図７は、案内板取付部９の拡大図である。図７には、結露水案内板６の上面６１側から見た状態の案内板取付部９が示されている。なお、図７の左側が、結露水案内板６の前側に対応し、右側が結露水案内板６の後側に対応する。案内板取付部９は、結露水案内板６の面内で前後方向（一方向の一例）に延びた長方形状の貫通孔（第３貫通孔）９１を囲む長方形状の縁部からなり、後述するホルダ７の支持部７４が挿通可能な出入口９２を備えている。出入口９２をなす縁部のうち、貫通孔９１を挟んで前後方向に延びる一対の縁部は、ホルダ７によって支持される被支持部９３，９４となっている。被支持部９３，９４は、後述するホルダ７の支持部７４が出入口９２から下面６２側（床板４２側）に露出した状態で支持部７４により支持される。
【００４３】
次いで、図８〜図１０を参照しつつ、ホルダ７について詳細に説明する。図８は、上方から見たホルダ７の斜視図であり、図９は、ホルダ７の側面図であり、図１０は、ホルダ７の平面図である。ホルダ７は、主として、引掛部７１、軸部７２、ストッパ部７３、及び支持部７４を備えている。そしてホルダ７は、更に、フランジ部７５、ノブ部７６、突起移動路７７、案内板着脱側凸部７８及び案内板固定側凸部７９を備えている。なお、本実施形態のホルダ７は、引掛部７１、軸部７２等の全ての構成が一体的に形成されている。
【００４４】
引掛部７１は、ホルダ７の上部をなし、天井板４１の被引掛部８２に対して、上面４１１側から引っ掛けられる形で取り付けられる部分である。
【００４５】
軸部７２は、引掛部７１から下方に延びるように設けられ、かつ引掛部７１が被引掛部８２に引っ掛かった状態で一方の向き（正回転）及び他方の向き（逆回転）に回転可能（つまり、正逆両回転可能）な部分である。本実施形態において、ホルダ７を上方から見た際に、軸部７２等が、時計回りに回転する場合を「正回転」とし、反時計回りに回転する場合を「逆回転」とする。なお、軸部７２が回転すればそれに接続する引掛部７１等も連動して同様に回転する。
【００４６】
フランジ部７５は、軸部７２から外側に円環状に広がるように張り出した部分であり、その上面７５Ａ側に、ストッパ部７３、突起移動路７７、案内板着脱側凸部７８及び案内板固定側凸部７９が形成されている。また、フランジ部７５は、ホルダ７がホルダ取付部８に取り付けられた際に、出入口８００を天井板４１の下面（天井面）４１２側から覆う部分となっている。
【００４７】
なお、フランジ部７５と引掛部７１との間には、天井板４１の円弧状の被引掛部８２が挿入される隙間Ｄ１が形成されている。その隙間Ｄ１は、軸部７２の上側の部分からなる上側軸部７２Ａの周りを囲むように設けられている。上側軸部７２Ａは、円弧状の被引掛部８２の内側（つまり、貫通孔８１内）で回転可能な大きさ（太さ）となっている。また、軸部７２のうち、フランジ部７５から下側の部分（以下、下側軸部）７２Ｂは、案内板取付部９の出入口９２内（貫通孔９１内）で回転可能な大きさ（太さ）となっている。
【００４８】
ストッパ部７３は、軸部７２の回転に連動することで、ホルダ取付部８の略扇形の貫通孔（第１貫通孔）８３内を正逆両回転して移動し、第１係止部（案内板着脱位置側係止部）８４、及び第２係止部（案内板固定位置側係止部）８５に接触して、軸部７２の回転を停止する部分である。ストッパ部７３は、フランジ部７５の上面７５Ａから上方に凸状に盛り上がった形をなしており、軸部７２よりも外側に配されている。なお、本実施形態の場合、ストッパ部７３及び軸部（上側軸部７２Ａ）は、上面７５Ａから上方に盛り上がった線状の連結部７０によって互いに接続されている。
【００４９】
支持部７４は、軸部７２の下部（下側軸部７２Ｂ）に接続して軸部７２の回転移動に連動する部分であり、案内板取付部９の被支持部９３，９４を下面６２側から支持する部分である。支持部７４は、各々が軸部７２の軸方向と交差するように軸部７２から互いに逆向き（一方向の一例）に延びるように下側軸部７２Ｂから外側に張り出した形をなしており、それらの張り出した部分によって被支持部９３，９４を支持する。本実施形態の場合、ホルダ７を平面視した際に、支持部７４が軸部７２から外側に向かって張り出す方向と、軸部７２とストッパ部７３とを結ぶ直線方向とが一致するように設定されている。
【００５０】
支持部７４が張り出す方向と、出入口９２の長手方向が一致する場合、支持部７４は、出入口９２の内側（貫通孔９１内）を通過（挿通）できる。これに対し、支持部７４が張り出す方向が、出入口９２の長手方向が一致せずに、出入口９２の長手方向と交差する場合（例えば、出入口９２の短手方向と一致する場合）、支持部７４は、非支持部９３，９４と重なって、非支持部９３，９４を下面６２側から受け支える。
【００５１】
なお、フランジ部７５の下面７５Ｂと支持部７４との間には、結露水案内板６を天井板４１に対して所定の隙間Ｒ３を保った状態で配置するための空間Ｄ２が形成されている。
【００５２】
ノブ部７６は、支持部７４から下方に延びる部分であり、作業者がホルダ７を回転させる際につまむ等して操作する部分である。ノブ部７６は、全体的には、支持部７４と同様の方向に張り出した形をなしており、その張り出した方向が、出入口９２の長手方向と一致する場合、ノブ部７６は、支持部７４と共に出入口９２の内側（貫通孔９１内）を通過することができる。
【００５３】
突起移動路７７は、ホルダ７の回転時に、天井板４１の下面４１２に設けられている突起部８０と重なる部分であり、フランジ部７５の上面７５Ａ側において、外周縁の一部が一段低くなるように略円弧状に凹んだ形をなしている。突起移動路７７の表面は平坦な形状となっている。ホルダ７が回転すると、突起部８０は突起移動路７７に対して相対的に円弧状に移動する形となる。
【００５４】
案内板着脱側凸部７８及び案内板固定側凸部７９は、それぞれ円弧状の突起移動路７７に設けられる部分であり、突起移動路７７から突起部８０と接触できるように凸状に盛り上がった形をなしている。案内板着脱側凸部７８及び案内板固定側凸部７９は、突起移動路７７において互いに離された状態で設けられている。ホルダ７が回転すると、案内板着脱側凸部７８及び案内板固定側凸部７９は、それぞれ突起部８０と接触しつつ、突起部８０を通り過ぎることになる。
【００５５】
案内板着脱側凸部７８は、軸部７２とストッパ部７３とを結ぶ直線方向に対して平行又は一致するように、細長く延びた形をなしている。これに対し、案内板固定側凸部７９は、案内板着脱側凸部７８が延びる方向に対して略直交するように、細長く延びた形をなしている。なお、案内板着脱側凸部７８と突起移動路７７の一方の端部との間には、突起部８０を収容可能な凹状の部分が形成されている。また、案内板固定側凸部７９と突起移動路７７の他方の端部との間にも、突起部８０を収容可能な凹状の部分が形成されている。
【００５６】
次いで、図１１〜図１６等を参照しつつ、ホルダ７を天井板４１のホルダ取付部８に取り付ける方法を説明する。ホルダ７は、作業者によりノブ部７６が把持された状態で向きが調節されつつ、下面（天井面）４１２側からホルダ取付部８に対して取り付けられる。
【００５７】
図１１は、ホルダ取付部８の出入口８００内に、ホルダ７の上端部（引掛部７１）が挿入され始めた状態を示す説明図である。図１１に示されるように、先ず、ホルダ７の上端部（引掛部７１）が、出入口８００内に挿入される。ホルダ７は、天井面（下面）４１２を基準面とした場合、ストッパ部７３側が下がるように若干、軸方向が傾けられた状態で、その上端部（引掛部７１）が出入口８００内に挿入される。その際、ホルダ７の上端部（引掛部７１）は、出入口８００の内側において、開口面積が比較的大きな略扇形の貫通孔（第１貫通孔）８３の部分に挿入される。
【００５８】
図１２は、ホルダ７の引掛部７１が被引掛部８２に引っ掛かりつつ、被引掛部８２側に押し込まれた状態を示す説明図である。図１２に示されるように、引掛部７１は、出入口８００を通過しつつ、円弧状の被引掛部８２に、軸部７２が傾いたままの状態で上面４１１側から載せられる。そして更に引掛部７１は、軸部７２が傾いたままの状態で被引掛部８２側に押し込まれる。その際、ホルダ７のストッパ部７３は、下面４１２側において円弧状縁部８６の拡径部８７付近に配されるように適宜、位置合せされる。
【００５９】
図１３は、ホルダ７の引掛部７１が被引掛部８２に引っ掛けられて、被引掛部８２内に軸部７２（上側軸部７２Ａ）が装着された状態を示す説明図である。引掛部７１が更に、被引掛部８２側に押し込まれると、引掛部７１が被引掛部８２に対して上面４１１側から載せられる形で引っ掛かり、それに伴って、軸部７２（上側軸部７２Ａ）が被引掛部８２の内側に嵌合する形で装着される。その際、ホルダ７の軸方向は天井面（下面）４１２に対して略垂直となり、また、ホルダ７のストッパ部７３は、出入口８００の内側（略扇形の貫通孔８３）内に収まる。
【００６０】
なお、ホルダ取付部８の出入口８００において、略円形の貫通孔８１の中心位置Ｏから拡径部８７までの長さＬ０（図５参照）が、引掛部７１（軸部７２）の中心位置からストッパ部７３までの長さよりも、大きくなるように設定されている。また、本実施形態の場合、中心位置Ｏから第１縮径部８８までの長さＬ１（図５参照）、及び中心位置Ｏから第２縮径部８９までの長さＬ２（図５参照）は、引掛部７１（軸部７２）の中心位置からストッパ部７３までの長さよりも、小さくなるように設定されている。そのため、ホルダ７は、ストッパ部７３が、出入口８００の拡径部８７付近に配された場合のみ、引掛部７１を被引掛部８２に引っ掛けて被引掛部８２内に軸部７２（上側軸部７２Ａ）を装着すること、及びその反対に引掛部７１及び軸部７２を被引掛部８２から外すことができる。
【００６１】
ホルダ７は、図１３に示される状態において、ストッパ部７３が第１係止部（案内板着脱位置側係止部）８４と、又は第２係止部（案内板固定位置側係止部）８５と当たって止まる（係止する）まで、略扇形の貫通孔８３内を、軸部７２を中心とした周方向に回転（正回転）して移動することができる。
【００６２】
図１４は、ストッパ部７３が第１係止部８４側に近付くようにホルダ７を回転（正回転）させた状態を示す説明図である。作業者がノブ部７６を操作することにより、ストッパ部７３が略扇形の貫通孔８３内を移動して第１係止部８４側に近付くようにホルダ７が回転（正回転）する。
【００６３】
ストッパ部７３が更に、第１係止部８４側に近付くようにホルダ７が回転（正回転）すると、ストッパ部７３は、最終的に第１係止部８４に当たり、ホルダ７の回転が停止される。図１５は、ストッパ部７３が第１係止部８４に当たって停止した状態を示す説明図である。
【００６４】
なお、本実施形態の場合、ホルダ７のストッパ部７３が第１係止部８４側に近付くように回転して移動する際、ストッパ部７３は、第１係止部８４に当たる前に、第１係止部８４に隣接する第１縮径部８８と接触する。そのため、ホルダ７は、第１縮径部８８によって外側から軸部７２側に向って押圧されることになり、ストッパ部７３が第１係止部８４に当たった状態でも、第１縮径部８８によって、外側から軸部７２側に向って押圧されることになる。
【００６５】
つまり、ホルダ７は、引掛部７１が被引掛部８２に引っ掛かった状態で軸部７２が被引掛部８２の内側に装着されると共に、被引掛部８２と第１縮径部８８との間で、フランジ部７５部上の軸部７２（上側軸部７２Ａ）及びストッパ部７３が挟まれた状態で、ホルダ取付部８に取り付けられる。このようにして、ホルダ７は、ストッパ部７３が第１係止部８４に当たって停止した状態で、ホルダ取付部８（天井板４１）に対してしっかりと固定される。
【００６６】
また、本実施形態の場合、ホルダ７のストッパ部７３が第１係止部８４側に近付くように回転（正回転）して移動する際、フランジ部７５及びフランジ部７５上に設けられている案内板着脱側凸部７８等も、ストッパ部７３と同じ向きに回転移動する。そして、ストッパ部７３が第１係止部８４に当たるのと略同じタイミングで、案内板着脱側凸部７８が、天井板４１に設けられている突起部８０を乗越え、その際に発生する振動がノブ部７６を介して作業者に伝達する。つまり、作業者は、ストッパ部７３が第１係止部８４に到達しているか否かを、案内板着脱側凸部７８が突起部８０を乗越える際に発生する振動に基づいて、把握することができる。貯蔵室４内から天井板４１を見た際、ストッパ部７３は、フランジ部７５により覆われているため、直接、貯蔵室４内からは目視することができない。そのため、このような案内板着脱側凸部７８及び突起部８０が設けられていると、作業者はストッパ部７３が第１係止部８４に到達しているか（当たっているか）否かを触覚で把握することができる。
【００６７】
なお、図１５に示されるように、ストッパ部７３が第１係止部８４に当たって停止している状態のホルダ７では、２つの支持部７４が天井板４１（結露水案内板６）の前後方向に沿って配されている。本明細書では、このように支持部７４が前後方向に沿って配されている状態のホルダ７を、特に「結露水案内板６を着脱するための状態（以下、着脱状態）」と称する。
【００６８】
図１６は、天井板４１にホルダ７が着脱状態で取り付けられている貯蔵室４内を示す下方から見上げた斜視図である。図１６に示されるように、天井板４１に設けられている出入口８００は、フランジ部７５によって塞がれている。そのため、出入口８００から冷気や水滴等が貯蔵室４内に進入することが抑制されている。
【００６９】
次いで、図１７〜図１９等を参照しつつ、結露水案内板６を、ホルダ７を利用して天井板４１に取り付ける方法を説明する。図１７は、結露水案内板６の出入口９２内に着脱状態のホルダ７の下部が挿入された状態で、結露水案内板６が天井板４１を覆う状態の貯蔵室４内を示す下方から見上げた斜視図である。図１７に示されるように、ホルダ７を天井板４１に着脱状態で取り付けた後、フランジ部７５よりも下側の部分（つまり、ノブ部７６、支持部７４及び下側軸部７２Ｂ）が、結露水案内板６の出入口９２に挿通され、かつ出入口９２から露出した状態で、結露水案内板６が天井板４１を覆うように貯蔵室４内に配される。なお、その際、結露水案内板６の後端は、上述したブラケット（不図示）上に載置される。
【００７０】
その後、ホルダ７は、ストッパ部７３が第２係止部（案内板固定位置側係止部）８５側に近付くように回転（逆回転）して移動される。図１８は、ストッパ部７３が第２係止部８５側に近付くようにホルダ７を回転（逆回転）させた状態を示す説明図である。作業者がノブ部７６を操作することにより、ストッパ部７３が略扇形の貫通孔８３内を移動して第２係止部８５側に近付くようにホルダ７が回転する。
【００７１】
ストッパ部７３が更に、第２係止部８５側に近付くようにホルダ７が回転すると、ストッパ部７３は、最終的に第２係止部８５に当たり、ホルダ７の回転が停止される。図１９は、ストッパ部７３が第２係止部８５に当たって停止した状態を示す説明図である。
【００７２】
なお、本実施形態の場合、ホルダ７のストッパ部７３が第２係止部８５側に近付くように回転移動する際、ストッパ部７３は、第２係止部８５に当たる前に、第２係止部８５に隣接する第２縮径部８９と接触する。そのため、ホルダ７は、第２縮径部８９によって、外側から軸部７２側に向って押圧されることになり、ストッパ部７３が第２係止部８５に当たった状態でも、第２縮径部８９によって、外側から軸部７２側に向って押圧されることになる。
【００７３】
つまり、ホルダ７は、引掛部７１が被引掛部８２に引っ掛かった状態で軸部７２が被引掛部８２の内側に装着されると共に、被引掛部８２と第２縮径部８９との間で、フランジ部７５部上の軸部７２（上側軸部７２Ａ）及びストッパ部７３が挟まれた状態で、ホルダ取付部８に取り付けられる。このようにして、ホルダ７は、ストッパ部７３が第２係止部８５に当たって停止した状態で、ホルダ取付部８（天井板４１）に対してしっかりと固定される。
【００７４】
また、本実施形態の場合、ホルダ７のストッパ部７３が第２係止部８５側に近付くように回転して移動する際、フランジ部７５及びフランジ部７５上に設けられている案内板固定側凸部７９等も、ストッパ部７３と同じ向きに回転移動する。そして、ストッパ部７３が第２係止部８５に当たるのと略同じタイミングで、案内板固定側凸部７９が、天井板４１に設けられている突起部８０を乗越え、その際に発生する振動がノブ部７６を介して作業者に伝達する。つまり、作業者は、ストッパ部７３が第２係止部８５に到達しているか否かを、案内板固定側凸部７９が突起部８０を乗越える際に発生する振動に基づいて、把握することができる。つまり、このような案内板固定側凸部７９及び突起部８０が設けられていると、作業者はストッパ部７３が第２係止部８５に到達しているか（当たっているか）否かを触覚で把握することができる。
【００７５】
また、ホルダ７のストッパ部７３が第２係止部８５側に近付くように回転（逆回転）して移動する際、ホルダ７が備える一対の支持部７４は、結露水案内板６の下面６２側において、ストッパ部７３等と同様、回転移動する。その結果、２つの支持部７４は、それぞれ被支持部９３，９４と重なる状態となる。
【００７６】
なお、図１９に示されるように、ストッパ部７３が第２係止部８５に当たって停止している状態のホルダ７では、２つの支持部７４が、結露水案内板６の下面６２側において、左右方向（前後方向に対して直交する方向）に沿って配されている。本明細書では、このように支持部７４が左右方向に沿って配されている状態のホルダ７を、特に「結露水案内板６を固定するための状態（以下、固定状態）」と称する。
【００７７】
図３には、固定状態のホルダ７により、結露水案内板６が支持されている状態が示されている。このように、本実施形態の結露水案内板６の取付構造１０では、結露水案内板６の着脱状態と固定状態とが簡単な回転操作により、切り替わるホルダ７を利用することで、結露水案内板６を天井板４１に対して取り付け易くなっている。
【００７８】
なお、天井板４１から結露水案内板６を取り外す場合は、基本的に、上述した結露水案内板６の取付工程を逆の手順で行えばよく、先ず、ホルダ７を固定状態から着脱状態に切り替え、その後、ホルダ７の下部を案内板取付部９の出入口９２から結露水案内板６の上面６１側に引き抜く等して、結露水案内板６をホルダ７から取り外せばよい。本実施形態の結露水案内板６の取付構造１０では、結露水案内板６を天井板４１（ホルダ７）から取り外した後でも、ホルダ７は天井板４１に固定されており、ホルダ７を紛失し難い構造にもなっている。
【００７９】
ホルダ７を天井板４１から取り外す場合も、基本的に、上述したホルダ７の取付工程を逆の手順で行えばよく、ホルダ７を回転させてストッパ部７３の位置を出入口８００の拡径部８７付近の位置に合せた後、ホルダ７を出入口８００から取り外せばよい。
【００８０】
＜他の実施形態＞
本発明は上記記述及び図面によって説明した実施形態に限定されるものではなく、例えば次のような実施形態も本発明の技術的範囲に含まれる。
【００８１】
（１）上記実施形態では、ホルダ７がホルダ取付部８に取り付けられた状態で回転可能な角度範囲は約９０°であったが、本発明はこれに限られず、本発明の目的を損なわない範囲で、適宜、設定される。
【００８２】
（２）上記実施形態では、支持部７４が前後方向に沿って配されている状態のホルダ７を、「着脱状態」とし、支持部７４が左右方向に沿って配されている状態のホルダ７を、「固定状態」としていたが、本発明はこれに限られない。例えば、他の実施形態においては、支持部７４が前後方向に沿って配されている状態のホルダ７を、「固定状態」とし、支持部７４が左右方向に沿って配されている状態のホルダ７を、「着脱状態」としてもよい。
【００８３】
（３）上記実施形態では、ホルダ７は、各構成が一体的に形成されていたが、本発明を損なわない限り、２部品以上に分かれる構成であってもよい。ただし、上記実施形態のように、ホルダ７が１部品で構成されることが、ホルダ７の生産性、結露水案内板の取付作業性等の観点より好ましい。
【符号の説明】
【００８４】
１…貯蔵庫（恒温恒湿庫）、２…本体部、４…貯蔵室、５…冷気供給装置、６…結露水案内板、７…ホルダ、７１…引掛部、７２…軸部、７３…ストッパ部、７４…支持部、７５…フランジ部、７６…ノブ部、７７…突起移動路、案内板着脱側凸部７８、案内板固定側凸部、８…ホルダ取付部、８０…突起部、８１…略円形の貫通孔（第２貫通孔）、８２…被引掛部、８３…略扇形の貫通孔（第１貫通孔）、８４…第１係止部、８５…第２係止部、８６…円弧状縁部、８７…拡径部、８８…第１縮径部、８９…第２縮径部、８００…ホルダの上部側の出入口、８０１…扇形開口縁部、９…案内板取付部、９１…長方形状の貫通孔（第３貫通孔）、９２…ホルダの下部側の出入口、９３，９４…被支持部、１０…取付構造
【図１】
0006510260.tif 000002
【図２】
0006510260.tif 000003
【図３】
0006510260.tif 000004
【図４】
0006510260.tif 000005
【図５】
0006510260.tif 000006
【図６】
0006510260.tif 000007
【図７】
0006510260.tif 000008
【図８】
0006510260.tif 000009
【図９】
0006510260.tif 000010
【図１０】
0006510260.tif 000011
【図１１】
0006510260.tif 000012
【図１２】
0006510260.tif 000013
【図１３】
0006510260.tif 000014
【図１４】
0006510260.tif 000015
【図１５】
0006510260.tif 000016
【図１６】
0006510260.tif 000017
【図１７】
0006510260.tif 000018
【図１８】
0006510260.tif 000019
【図１９】
0006510260.tif 000020